(57)【要約】【課題】より多くの美容美髪用具やその付属品を収納できる美容美髪専用カーの構造を提供すること。【解決手段】フレームと、フレームに嵌合された二つのサイドプレートと、フレーム上に跨っている収納部と、フレームの一側に配置された釣り込み部と、フレームの一側に配置され且つ釣り込み部の下方に近隣する載置部とを備えた美容美髪専用カーの構造であって、該フレームの他一側に挿設部が設けられ、該挿設部の端面上には１以上の貫通孔が開設され、また、該挿設部の下方に近隣する箇所には支持座が設けられ、該支持座の一面に上間隔板および下間隔板がそれぞれ設けられ、該支持座の端面に上間隔板と連通する開口を有し、さらに該支持座上に下間隔板と連通する切込槽を有する。【選択図】図１
0003128446.tif 000002
【実用新案登録請求の範囲】
【請求項１】
二つのサイドレバーおよび該二つのサイドレバーの間に設けられた横レバーからなるフレームと、
その両側には、前記フレームの二つのサイドレバー上に嵌合するための嵌合部がそれぞれ設けられ、且つ該二つのサイドプレートの一面には、引き出しを設置できる複数の対応するガイドレールがそれぞれ設けられた二つのサイドプレートと、
前記フレームの横レバーに設けられ、該収納部の一端面には複数の槽穴を有し、且つ該複数の槽穴に近隣する位置に凹み溝を有し、フレームの横レバー上に跨っている収納部と、
該二つのサイドレバーのうち一つのサイドレバーの端部に設けられ、且つフックが設けられ、その両側に係合部がそれぞれ設けられた釣り込み部と、
該二つのサイドレバーのうち一つのサイドレバーに設けられ、且つ釣り込み部の下方に近隣され、その両側には係止部がそれぞれ設けられ、その一面に凹溝を有し、且つ一端面には該凹溝と連通するための開口が設けられた載置部とを備えた美容美髪専用カーの構造であって、
該フレームの他のサイドレバー上に挿設部が設けられ、
該挿設部の両側にはフレームの他のサイドレバー上に係合できるための係合部が設けられ、
且つ、該挿設部の端面上には１以上の貫通孔が開設され、
該挿設部の下方に近隣する箇所には支持座が設けられ、
該支持座の両側に前記二つのサイドレバーに係止するための係止部がそれぞれ設けられ、
且つ、該支持座の一面の適当な部分に上間隔板および下間隔板がそれぞれ設けられ、
該支持座の端面に上間隔板と連通する開口を有し、
さらに該支持座上に下間隔板と連通する切込槽を有することを特徴とする美容美髪専用カーの構造。
【考案の詳細な説明】
【技術分野】
【０００１】
本考案は、美容美髪専用カーの構造に関し、特に、使用者が該美容美髪専用カーによりもっと多くの美容美髪用具およびその付属品を収納できる美容美髪専用カーの構造に関するものである。
【背景技術】
【０００２】
一般に従来の美容美髪専用カーは、本願の出願人が２００３年１月１７日に出願した実用新案第９２２００９３２号の「美容美髪専用カー」が知られている。
この美容美髪専用カーは、二つのサイドレバーおよび該二つのサイドレバーの間に設けられ、且つ該二つのサイドレバーの両端に設けられた横レバーからなるフレームと、該フレームの二つのサイドレバー上に設けられ、両側には二つのサイドプレートを該フレームの二つのサイドレバーに嵌め合わせるための嵌合部がそれぞれ設けられるとともに、その一面に複数の対応するガイドレールがそれぞれ設けられ、かつ、該複数の対応するガイドレールの間に引き出しが設けられることが可能な二つのサイドプレートと、該フレームの横レバー上に設けられ、その一端面には複数の槽穴を有するとともに、前記複数の槽穴に隣接する位置に凹み溝を有し、かつ、その底部両側には跨り部がそれぞれ設けられ、該跨り部によりフレームの横レバー上に収納部を跨らせる収納部と、釣り込み部の上にフックが設けられ、且つ該釣り込み部の両側に係合部がそれぞれ設けられ、該係合部により該フレームのサイドレバーに釣り込まれるように、該二つのサイドレバーのうち一つのサイドレバーに設置し且つ該収納部の一側に近隣された釣り込み部と、
該二つのサイドレバーのうち一つのサイドレバーに設置され、その一面に凹溝を有し、且つその一端面には該凹溝に連通する開口が設けられ、さらに両側に係止部がそれぞれ設けられ、該係止部により該フレームのサイドレバーに係止された載置部とを含むもので、美容美髪用具およびその付属品を綺麗に収納できて、自己取付、着脱自在および組合設置自由な効果を得られる。
【０００３】
しかしながら、従来の「美容美髪専用カー」は、美容美髪用具およびその付属品を綺麗に収納でき、自己取付、着脱および組合設置自在な効果を得られるが、実際に使用するときにはまだ足りない部分があるので、本願の出願人は「美容美髪専用カー」を改良した。
【考案の開示】
【考案が解決しようとする課題】
【０００４】
そのため、本考案は、使用者が該美容美髪専用カーによりもっと多くの美容美髪用具およびその付属品を収納できる効果を達成できることを主な目的とする。
【課題を解決するための手段】
【０００５】
前記目的を達成すため、本考案は、フレームと、フレームに嵌合された二つのサイドプレートと、複数の槽穴および凹み溝を有しフレーム上に跨っている収納部と、フックおよび係合部を有しフレームの一側に配置された釣り込み部と、係止部及び凹溝を有しフレームに配置され且つ釣り込み部の下方に近隣する載置部とを備えた美容美髪専用カーの構造であって、該フレームの他のサイドレバー上に挿設部が設けられ、該挿設部の両側にはフレームの他のサイドレバー上に係合できるための係合部が設けられ、且つ、該挿設部の端面上には１以上の貫通孔が開設され、また、該挿設部の下方に近隣する箇所には支持座が設けられ、該支持座の両側に前記二つのサイドレバーに係止するための係止部がそれぞれ設けられ、かつ、該支持座の一面の適当な部分に上間隔板および下間隔板がそれぞれ設けられ、該支持座の端面に上間隔板と連通する開口を有し、さらに該支持座上に下間隔板と連通する切込槽を有することを特徴とする美容美髪専用カーの構造を提供する。
【考案を実施するための最良の形態】
【０００６】
図１は本考案の外観斜視図、図２は本考案の収納部の外観斜視図、図３は本考案の挿設部の外観斜視図、図４は本考案の支持座の外観斜視図、図５は本考案の支持座の他の外観斜視図、図６は本考案の使用状態を示す図である。
図に示すように、本考案の美容美髪専用カーの構造は、フレーム１と、二つのサイドプレート２と、収納部３と、釣り込み部４と、載置部５と、挿設部６と、支持座７とからなり、美容美髪用具およびその付属品を綺麗に収納できる。
さらに、該挿設部６および支持座７により、使用者がより多くの美容美髪用具８およびその付属品を収納できる効果を達成できる。
【０００７】
前記したフレーム１は、二つのサイドレバー１１および該二つのサイドレバー１１の間に設けられた横レバー１２からなり、且つ、該横レバー１２が該二つのサイドレバー１１の両端に設けられ、該二つのサイドレバー１１の端縁は一端が傾斜状になり、且つフレーム１の一端に車輪１３が設けられ、該車輪１３により使用者が押して移動し易くなる。
【０００８】
該二つのサイドプレート２が前記フレーム１の二つのサイドレバー１１上に設けられ、該二つのサイドプレート２の両側には嵌合部２１が設けられ、該嵌合部２１により二つのサイドプレート２をフレーム１の二つのサイドレバー１１上に嵌合させる。
また、該二つのサイドプレート２の一面に複数の対応するガイドレール２２が設けられ、かつ、該複数の対応するガイドレール２２の間に引き出し２３が設置でき、美容美髪用具８およびその付属品を綺麗に収納できる。
【０００９】
該収納部３は、前記フレーム１の横レバー１２に跨っている。該収納部３の一端面には、使用者がブラシ、ヘアソリ、ヘア鋏、ドライアーなどの美容美髪用具８を挿入するための複数の槽穴３１を有し、該槽穴３１がドライアーの風出口に合わせて異なる形状（図２に示すように）であり、該槽穴３１に近隣する位置に、ベビーパウターやヘアゲルやヘアクリップなどの美容美髪用具８、または消費者に販売しようとする美容美髪用具を収納できる凹み溝３２を有する。
【００１０】
該釣り込み部４は、該二つのサイドレバー１１のうち一つのサイドレバーに設けられ、且つ該収納部３の一側に近隣され、該釣り込み部４上に鏡（図に示さず）を釣り込むためのフック４１が設けられ、かつ該釣り込み部４の両側に係合部４２がそれぞれ設けられ、該係合部４２により該釣り込み部４をフレーム1のサイドレバー１１に係合させる。
【００１１】
該載置部５は、該二つのサイドレバー１１のうち一つのサイドレバーに設けられ、該載置部５の一面に凹溝５１を有し、かつ、該載置部５の一端面には該凹溝５１と連通する開口５２が設けられ、該開口５２により載置部５の凹溝５１内に雑誌を収納でき、さらに、該載置部５の両側には係止部５３がそれぞれ設けられ、該係止部５３により該載置部５をフレーム１のサイドレバー１１上に係止させるとともに、該嵌合部２１の槽穴２２に対応して配合する。
【００１２】
該挿設部６（図３に示すように）は、フレーム１の他のサイドレバー１１上に設けられ、且つ、該挿設部６の両側にはフレーム１の他のサイドレバー１１上に係合できるための係合部６１がそれぞれ設けられ、且つ、該挿設部６１の端面上には１以上の貫通孔６２が開設され、該貫通孔６２がヘアゲルおよびブラシなどの用品を挿入できる。
【００１３】
該支持座７（図４および図５に示すように）は、該挿設部の下方に近隣する箇所に設けられ、該支持座７の両側に前記二つのサイドレバー１１に係止するための係止部７１がそれぞれ設けられ、かつ、該支持座７の一面の適当な部分に上間隔板７２および下間隔板７３がそれぞれ設けられ、該支持座７の端面に上間隔板７２と連通する開口７４を有し、さらに該支持座７上に下間隔板７３と連通する切込槽７５を有し、該支持座７の上間隔板７２により開口７４に配合してヘアワックスやヘアゲルや定型剤および香水などの用品を収納でき、また、該支持座７の下間隔板７３により切込槽７５に配合してヘアクリップやネックリングやブラシおよび精油などの用品を収納でき、そのため、前記構造により全く新しい美容美髪専用カーの構造を構成できる。
【００１４】
上記した説明は、本考案の実施可能な一実施例の具体的説明であって、本考案を制限するものではなく、凡そ本考案の技術思想を逸脱せずになされる等価の実施又は変更は、全て本考案に含まれるものとする。
【図面の簡単な説明】
【００１５】
【図１】本考案に係る美容美髪専用カーの斜視外観図である。
【図２】本考案に係る美容美髪専用カーの収納部を示す斜視外観図である。
【図３】本考案に係る美容美髪専用カーの挿設部を示す斜視外観図である。
【図４】本考案に係る美容美髪専用カーの支持座を示す斜視外観図である。
【図５】本考案に係る美容美髪専用カーの支持座を示す他の斜視外観図である。
【図６】本考案に係る美容美髪専用カーの使用状態を示す斜視図である。
【符号の説明】
【００１６】
１・・・・・・フレーム
２・・・・・・サイドプレート
３・・・・・・収納部
４・・・・・・釣り込み部
５・・・・・・載置部
６・・・・・・挿設部
７・・・・・・支持座
８・・・・・・美容美髪用具
１１・・・・・サイドレバー
１２・・・・・横レバー
１３・・・・・車輪
２１・・・・・嵌合部
２２・・・・・ガイドレール
２３・・・・・引き出し
３１・・・・・槽穴
３２・・・・・凹み溝
４１・・・・・フック
４２・・・・・係合部
５１・・・・・凹溝
５２・・・・・開口
５３・・・・・係止部
６１・・・・・係合部
６２・・・・・貫通孔
７１・・・・・係止部
７２・・・・・上間隔板
７３・・・・・下間隔板
７４・・・・・開口
７５・・・・・切込槽
【図１】
0003128446.tif 000003
【図２】
0003128446.tif 000004
【図３】
0003128446.tif 000005
【図４】
0003128446.tif 000006
【図５】
0003128446.tif 000007
【図６】
0003128446.tif 000008